(57)【要約】【課題】Ｒが主としてＣｅである、Ｒ−Ｆｅ−Ｂ系希土類磁石において、Ｃｅ以外の希土類元素Ｒ１が非常に少なくても、保磁力を向上することができる希土類磁石を提供する。【解決手段】全体組成が、式ＣｅｐＲ１ｑＴ（１００−ｐ−ｑ−ｒ−ｓ）ＢｒＭ１ｓ（ただし、Ｒ１は、Ｃｅ以外の希土類元素であり、Ｔは、Ｆｅ、Ｎｉ、及びＣｏから選ばれる１種以上であり、Ｍは、Ｔｉ、Ｇａ、Ｚｎ、Ｓｉ、Ａｌ、Ｎｂ、Ｚｒ、Ｍｎ、Ｖ、Ｗ、Ｔａ、Ｇｅ、Ｃｕ、Ｃｒ、Ｈｆ、Ｍｏ、Ｐ、Ｃ、Ｍｇ、Ｈｇ、Ａｇ、及びＡｕから選ばれる１種以上、並びに不可避的不純物であり、かつ、ｐ、q、ｒ、及びｓが、１１．８０≦ｐ≦１２．９０、０≦ｑ≦３．００、５．００≦ｒ≦２０．００、及び０≦ｓ≦３．００である。）で表され、かつ、磁性相と、前記磁性相の周囲に存在する（Ｃｅ、Ｒ１）リッチ相とを備える、希土類磁石。【選択図】図２
2018110159.tif 000002
【特許請求の範囲】
【請求項１】
全体組成が、式ＣｅｐＲ１ｑＴ（１００−ｐ−ｑ−ｒ−ｓ）ＢｒＭ１ｓ（ただし、Ｒ１は、Ｃｅ以外の希土類元素であり、Ｔは、Ｆｅ、Ｎｉ、及びＣｏから選ばれる１種以上であり、Ｍ１は、Ｔｉ、Ｇａ、Ｚｎ、Ｓｉ、Ａｌ、Ｎｂ、Ｚｒ、Ｍｎ、Ｖ、Ｗ、Ｔａ、Ｇｅ、Ｃｕ、Ｃｒ、Ｈｆ、Ｍｏ、Ｐ、Ｃ、Ｍｇ、Ｈｇ、Ａｇ、及びＡｕから選ばれる１種以上、並びに不可避的不純物であり、かつ、
ｐ、q、ｒ、及びｓが、
１１．８０≦ｐ≦１２．９０、
０≦ｑ≦３．００、
５．００≦ｒ≦２０．００、及び
０≦ｓ≦３．００である。）で表され、かつ、
磁性相と、
前記磁性相の周囲に存在する（Ｃｅ、Ｒ１）リッチ相と、
を備える、
希土類磁石。
【請求項２】
前記ｐが、１１．８０≦ｐ≦１２．２０である、請求項１に記載の希土類磁石。
【請求項３】
前記ｑが、０≦ｑ≦２．００である、請求項１又は２に記載の希土類磁石。
【請求項４】
前記ｑが、０≦ｑ≦１．００である、請求項１又は２に記載の希土類磁石。
【請求項５】
前記磁性相の体積率が、８５．００〜９６．２０％である、請求項１〜４のいずれか一項に記載の希土類磁石。
【請求項６】
Ｒ１が、Ｎｄ、Ｐｒ、Ｄｙ、及びＴｂから選ばれる１種以上である、請求項１〜５のいずれか一項に記載の希土類磁石。
【請求項７】
前記Ｔが、Ｆｅである、請求項１〜６のいずれか一項に記載の希土類磁石。
【発明の詳細な説明】
【技術分野】
【０００１】
本開示は、Ｒ−Ｆｅ−Ｂ系希土類磁石（Ｒは希土類元素）に関する。本開示は、特に、Ｒが主としてＣｅである、Ｒ−Ｆｅ−Ｂ系希土類磁石に関する。
【背景技術】
【０００２】
Ｒ−Ｆｅ−Ｂ系希土類磁石は、優れた磁気特性を有する高性能磁石である。そのため、ハードディスク及びＭＲＩ（磁気共鳴画像）装置等を構成するモータのほか、ハイブリッド車及び電気自動車等の駆動用モータに用いられている。
【０００３】
Ｒ−Ｆｅ−Ｂ系希土類磁石のうち、ＲがＮｄの希土類磁石、すなわち、Ｎｄ−Ｆｅ−Ｂ系希土類磁石が最も代表的である。しかし、Ｎｄの価格は高騰しつつあり、Ｎｄ−Ｆｅ−Ｂ系希土類磁石中のＮｄの一部を、Ｎｄよりも安価な、Ｃｅ、Ｌａ、Ｇｄ、Ｙ、及び／又はＳｃで置換することが試みられている。
【０００４】
特許文献１には、Ｎｄ−Ｆｅ−Ｂ系希土類磁石のＮｄの一部を、Ｃｅで置換した、（Ｎｄ、Ｃｅ）−Ｆｅ−Ｂ系希土類磁石が開示されている。
【先行技術文献】
【特許文献】
【０００５】
【特許文献１】特開２０１６−１１１１３６号公報
【発明の概要】
【発明が解決しようとする課題】
【０００６】
特許文献１に開示された（Ｎｄ、Ｃｅ）−Ｆｅ−Ｂ系希土類磁石においては、Ｎｄを１．２５〜２０.００原子％含有しており、Ｎｄの含有量が非常に少ない場合又は存在しない場合の磁気特性、特に、保磁力の向上について、その検討が充分ではなかった。
【０００７】
これらのことから、Ｒが主としてＣｅである、Ｒ−Ｆｅ−Ｂ系希土類磁石において、Ｃｅ以外の希土類元素Ｒ１が非常に少ない場合又は存在しない場合、保磁力の向上の余地がある、という課題を、本発明者らは見出した。
【０００８】
本開示は、上記課題を解決するためになされたものである。本開示は、Ｒが主としてＣｅである、Ｒ−Ｆｅ−Ｂ系希土類磁石において、Ｃｅ以外の希土類元素Ｒ１が非常に少な場合又は存在しない場合でも、保磁力を向上することができる希土類磁石を提供することを目的とする。
【課題を解決するための手段】
【０００９】
本発明者らは、上記目的を達成すべく、鋭意検討を重ね、本開示の希土類磁石を完成させた。その要旨は、次のとおりである。
〈１〉全体組成が、式ＣｅｐＲ１ｑＴ（１００−ｐ−ｑ−ｒ−ｓ）ＢｒＭ１ｓ（ただし、Ｒ１は、Ｃｅ以外の希土類元素であり、Ｔは、Ｆｅ、Ｎｉ、及びＣｏから選ばれる１種以上であり、Ｍは、Ｔｉ、Ｇａ、Ｚｎ、Ｓｉ、Ａｌ、Ｎｂ、Ｚｒ、Ｍｎ、Ｖ、Ｗ、Ｔａ、Ｇｅ、Ｃｕ、Ｃｒ、Ｈｆ、Ｍｏ、Ｐ、Ｃ、Ｍｇ、Ｈｇ、Ａｇ、及びＡｕから選ばれる１種以上、並びに不可避的不純物であり、かつ、
ｐ、q、ｒ、及びｓが、
１１．８０≦ｐ≦１２．９０、
０≦ｑ≦３．００、
５．００≦ｒ≦２０．００、及び
０≦ｓ≦３．００である。）で表され、かつ、
磁性相と、
前記磁性相の周囲に存在する（Ｃｅ、Ｒ１）リッチ相と、
を備える、
希土類磁石。
〈２〉前記ｐが、１１．８０≦ｐ≦１２．２０である、〈１〉項に記載の希土類磁石。
〈３〉前記ｑが、０≦ｑ≦２．００である、〈１〉又は〈２〉項に記載の希土類磁石。
〈４〉前記ｑが、０≦ｑ≦１．００である、〈１〉又は〈２〉項に記載の希土類磁石。
〈５〉前記磁性相の体積率が、８５．００〜９６．２０％である、〈１〉〜〈４〉項のいずれか一項に記載の希土類磁石。
〈６〉Ｒ１が、Ｎｄ、Ｐｒ、Ｄｙ、及びＴｂから選ばれる１種以上である、〈１〉〜〈５〉項のいずれか一項に記載の希土類磁石。
〈７〉前記Ｔが、Ｆｅである、〈１〉〜〈６〉項のいずれか一項に記載の希土類磁石。
【発明の効果】
【００１０】
本開示によれば、Ｃｅを所定の範囲にすることによって、Ｃｅ以外の希土類元素Ｒ１の含有量が非常に少ない場合又は存在しない場合であっても、保磁力を向上することができる希土類磁石を提供することができる。
【図面の簡単な説明】
【００１１】
【図１】図１は、本開示の希土類磁石の組織を模式的に示した図である。
【図２】図２は、Ｃｅ含有量と保磁力の関係を示すグラフである。
【図３】図３は、磁性相の体積率と磁化の関係を示すグラフである。
【発明を実施するための形態】
【００１２】
以下、本開示に係る希土類磁石の実施形態を詳細に説明する。なお、以下に示す実施形態は、本開示に係る希土類磁石を限定するものではない。
【００１３】
Ｒが主としてＣｅである、Ｒ−Ｆｅ−Ｂ系希土類磁石において、Ｃｅ以外の希土類元素Ｒ１が非常に少ない又は存在しない希土類磁石を、本明細書では、（Ｃｅ、Ｒ１）−Ｆｅ−Ｂ系希土類磁石ということがある。
【００１４】
（Ｃｅ、Ｒ１）−Ｆｅ−Ｂ系希土類磁石は、（Ｃｅ、Ｒ１）−Ｆｅ−Ｂ系合金溶湯を液体急冷等することによって得られる。液体急冷等によって、（Ｃｅ、Ｒ１）２Ｆｅ１４Ｂで表される磁性相（以下、このような相を「（Ｃｅ、Ｒ１）２Ｆｅ１４Ｂ相」ということがある。）が形成される。（Ｃｅ、Ｒ１）２Ｆｅ１４Ｂ相が形成された後の残液中では、（Ｃｅ、Ｒ１）２Ｆｅ１４Ｂ相の形成に寄与しなかった余分なＣｅ及びＲ１によって、（Ｃｅ、Ｒ１）リッチ相が形成される。（Ｃｅ、Ｒ１）リッチ相は、（Ｃｅ、Ｒ１）２Ｆｅ１４Ｂ相の周囲に存在する。（Ｃｅ、Ｒ１）リッチ相は、（Ｃｅ、Ｒ１）２Ｆｅ１４Ｂ相の形成に寄与しなかった元素で形成されており、Ｃｅ及びＲ１の濃度が高い。
【００１５】
（Ｃｅ、Ｒ１）−Ｆｅ−Ｂ系希土類磁石中で、仮に、全てが（Ｃｅ、Ｒ１）２Ｆｅ１４Ｂ相であるとすると、Ｃｅ及びＲ１の合計含有量は、概ね１１．８原子％である。Ｃｅ、Ｒ１、Ｆｅ、及びＢそれぞれの合計含有量を１００原子％としたとき、Ｃｅ及びＲ１の合計含有量は、概ね１１．８（＝２÷（２＋１４＋１）×１００）原子％だからである。
【００１６】
Ｃｅ及びＲ１の合計含有量（原子％）が少ないと、（Ｃｅ、Ｒ１）リッチ相が減少する。（Ｃｅ、Ｒ１）リッチ相は、（Ｃｅ、Ｒ１）２Ｆｅ１４Ｂ相同士を磁気的に分断して、（Ｃｅ、Ｒ１）−Ｆｅ−Ｂ系希土類磁石の保磁力向上に寄与する。
【００１７】
通常、希土類リッチ相が減少すると、希土類磁石の保磁力は低下する。しかし、（Ｃｅ、Ｒ１）−Ｆｅ−Ｂ系希土類磁石の場合には、（Ｃｅ、Ｒ１）リッチ相が減少、すなわち、Ｃｅ及びＲ１の合計含有量（原子％）が少なくても、保磁力が低下しないことを、本発明者らは知見した。
【００１８】
これらの知見に基づく、本開示に係る希土類磁石の構成を次に説明する。
【００１９】
（全体組成）
本開示の希土類磁石の全体組成は、式ＣｅｐＲ１ｑＴ（１００−ｐ−ｑ−ｒ−ｓ）ＢｒＭ１ｓで表される。上式中、Ｒ１は、Ｃｅ以外の希土類元素である。Ｔは、Ｆｅ、Ｎｉ、及びＣｏから選ばれる１種以上である。Ｍ１は、Ｔｉ、Ｇａ、Ｚｎ、Ｓｉ、Ａｌ、Ｎｂ、Ｚｒ、Ｍｎ、Ｖ、Ｗ、Ｔａ、Ｇｅ、Ｃｕ、Ｃｒ、Ｈｆ、Ｍｏ、Ｐ、Ｃ、Ｍｇ、Ｈｇ、Ａｇ、及びＡｕから選ばれる１種以上、並びに不可避的不純物である。
【００２０】
ｐは、Ｃｅの含有量であり、ｑは、Ｒ１の含有量であり、ｒは、Ｂ（ホウ素）の含有量であり、ｓは、Ｍ１の含有量であり、そして、ｐ、ｑ、ｒ、及びｓの値は、それぞれ、原子％である。以下、Ｃｅ、Ｒ１、Ｂ、及びＭ１それぞれの含有量について、説明する。
【００２１】
（Ｃｅ）
（Ｃｅ、Ｒ１）−Ｆｅ−Ｂ系希土類磁石中で、Ｃｅの含有量ｐが１１．８０〜１２．９０原子％であれば、保磁力を向上することができる。保磁力向上の観点からは、Ｃｅの含有量ｐは１２．２０原子％以下であることが好ましい。
【００２２】
理論に拘束されないが、Ｒ１リッチ相中のＲ１は、Ｆｅ等と結合することなく、単独で存在していることが多いと考えられる。一方、Ｃｅリッチ相中のＣｅは、Ｆｅ等と結合して存在していると考えられる。それにより、Ｒ１リッチ相と比べて、Ｃｅリッチ相は、その量が少なくても、磁性相同士の磁気分断効果に優れると考えられる。したがって、（Ｃｅ、Ｒ１）リッチ相中のＲ１の含有量は、できるだけ少ない方が好ましい。
【００２３】
（Ｒ１）
全体組成におけるＲ１の含有量ｑが少なければ、（Ｃｅ、Ｒ１）リッチ相中のＲ１の含有量も少ない。全体組成におけるＲ１の含有量ｑが３．００原子％以下であれば、保磁力は低下しない。この観点からは、Ｒ１の含有量ｑは、２．００原子％以下が好ましく、１．００原子％以下が好ましく、０原子％が理想である。一方、Ｒ１の含有量ｑは、０．１０原子％以上が好ましい。
【００２４】
Ｒ１は、Ｎｄ、Ｐｒ、Ｄｙ、及びＴｂから選ばれる１種以上であってよく、Ｒ１全体に対して、Ｎｄが９０．００原子％以上であってよい。
【００２５】
（Ｂ）
Ｂの含有量ｒが５．０原子％以上であれば、液体急冷時に、薄帯等の内部に非晶質組織が、希土類磁石全体に対して、１０．００体積％以上残留することはない。一方、Ｂの含有量ｒが２０．００原子％以下であれば、Ｆｅに固溶しないＢが（Ｃｅ、Ｒ１）リッチ相に過剰に残留することはない。この観点からは、Ｂの含有量ｒは１０．００原子％以下が好ましく、８．００原子％以下がより好ましい。
【００２６】
（Ｍ１）
Ｍ１は、本開示の希土類磁石の特性を損なわない範囲で含有することができる。Ｍ１には不可避的不純物を含んでよい。不可避的不純物とは、原材料に含まれる不純物等、その含有を回避することが避けられない、あるいは、回避するためには著しい製造コストの上昇を招くような不純物のことをいう。Ｍ１の含有量ｓが３．００原子％以下であれば、本開示の希土類磁石の特性を損なわない。Ｍ１の含有量ｓは２．００原子％以下が好ましく、０が理想である。しかし、Ｍ１の含有量ｓを過度に低減することは、製造コストの上昇を招くため、Ｍ１の含有量ｓは０．１０原子％以上であることが好ましい。
【００２７】
（Ｔ）
Ｔは、鉄族元素に分類され、Ｆｅ、Ｎｉ、及びＣｏそれぞれの性質は、常温及び常圧で強磁性を示す点で共通する。したがって、これらを相互に入れ替えて用いてもよい。Ｃｏの含有により、磁化が向上し、キュリー点が上昇する。この効果は、希土類磁石全体に対して、Ｃｏ含有量が０．１０原子％以上で発現する。この観点からは、Ｃｏの含有量は０．１０原子％以上が好ましく、１．００原子％がより好ましく、３．００原子％以上がより一層このましい。一方、Ｃｏは高価であり、Ｆｅが最も安価であるため、経済的には、Ｔ全体に対して、Ｆｅは８０．００原子％以上が好ましく、９０．００原子％以上がより好ましく、Ｔの全部がＦｅであってもよい。
【００２８】
（磁性相、及び（Ｃｅ、Ｒ１）リッチ相）
次に、上式で表された組成を有する、本開示の希土類磁石の組織について説明する。図１は、本開示の希土類磁石の組織を模式的に示した図である。希土類磁石２００は、磁性相５０、及び（Ｃｅ、Ｒ１）リッチ相６０を備える。磁性相５０は結晶粒状である。（Ｃｅ、Ｒ１）リッチ相６０は、磁性相５０の周囲に存在する。（Ｃｅ、Ｒ１）リッチ相６０は、磁性相５０同士を磁気分断し、希土類磁石２００の保磁力を向上させる。
【００２９】
磁性相５０の平均粒径は、保磁力確保の観点から、１０００ｎｍ以下が好ましく、５００ｎｍ以下がより好ましい。
【００３０】
ここで、「平均粒径」とは、例えば、図１で示す磁性相５０の長手方向の長さｔの平均値のことである。例えば、希土類磁石２００の走査型電子顕微鏡像、又は透過型電子顕微鏡像で、一定領域を規定し、この一定領域内に存在する磁性相５０それぞれの長さｔの平均値を算出し、それを「平均粒径」とする。磁性相５０の断面形状が楕円形の場合は、その長軸の長さをｔとする。主相の断面が四角形の場合は、長い方の対角線の長さをｔとする。
【００３１】
希土類磁石２００は、磁性相５０、及び（Ｃｅ、Ｒ１）リッチ相６０以外の相（図示しない）を含有してもよい。磁性相５０、及び（Ｃｅ、Ｒ１）リッチ相６０以外の相としては、酸化物、窒化物、及び金属間化合物等が挙げられる。
【００３２】
希土類磁石２００の特性は、主として、磁性相５０、及び（Ｃｅ、Ｒ１）リッチ相６０によって発揮される。磁性相５０、及び（Ｃｅ、Ｒ１）リッチ相６０以外の相は、その大半が、不純物である。したがって、希土類磁石２００に対する、磁性相５０、及び（Ｃｅ、Ｒ１）リッチ相６０の合計含有量については、９５．００体積％以上が好ましく、９７．００体積％以上がより好ましく、９９．００体積％以上がより一層好ましい。
【００３３】
（磁性相の体積率）
Ｒ−Ｆｅ−Ｂ系希土類磁石は、異方性磁石として用いられることが多い。この点は、（Ｃｅ、Ｒ１）−Ｆｅ−Ｂ系希土類磁石についても同様である。
【００３４】
希土類磁石２００に異方性を付与したとき、磁性相５０の体積率が９６．２０％までは、磁性相５０の含有量が増加するにつれて、磁化が増加する。希土類磁石２００が実用的な磁化を有するためには、磁性相５０の体積率は、８５．００％以上が好ましい。この観点からは、磁性相５０の体積率は、９０．００％以上がより好ましく、９２．３０％以上がより一層好ましい。
【００３５】
しかし、磁性相５０の体積率が９６．２０％を超えると、急激に磁化が低下する。
【００３６】
（Ｃｅ、Ｒ１）−Ｆｅ−Ｂ系希土類磁石に異方性を付与するためには、例えば、希土類磁石２００全体を熱間強加工する。（Ｃｅ、Ｒ１）リッチ相は、Ｃｅ及びＲ１の合計濃度が高いため、その融点が低い。これにより、熱間強加工中に、（Ｃｅ、Ｒ１）リッチ相は僅かに溶融する。
【００３７】
一方、磁性相５０は粒成長しながら、磁化容易軸（ｃ軸）方向に回転する。このとき、僅かに溶融した（Ｃｅ、Ｒ１）リッチ相は、磁性相５０の回転に対して、潤滑剤のような働きをする。磁性相５０の体積率が９６．２０％を超えると、この潤滑剤のような働きをする（Ｃｅ、Ｒ１）リッチ相の体積率が低くなるため、磁性相５０が回転し難くなる。その結果、磁性相５０が磁化容易軸（ｃ軸）方向に配向しなくなり、磁化が急激に低下する。これらのことから、磁性相５０の体積率は、９６．２０％以下であることが好ましい。
【００３８】
磁性相５０の体積率は、次のようにして求められる。希土類磁石２００のＣｅ、Ｆｅ、及びＢそれぞれの含有量を、高周波誘導結合プラズマ発光分光分析法を用いて、測定する。これらの含有量を、質量百分率の値から原子百分率の値に変換し、この値を、原子百分率で記載されたＣｅ−Ｆｅ−Ｂの三元系状態図に基づく方程式に代入し、磁性相５０の体積率を算出する。磁性相５０の体積率は、希土類磁石２００全体を１００体積％としたときの体積百分率である。
【００３９】
（製造方法）
次に、本開示の希土類磁石の製造方法について説明する。
【００４０】
全体組成が、式ＣｅｐＲ１ｑＴ（１００−ｐ−ｑ−ｒ−ｓ）ＢｒＭ１ｓで表される合金を準備する。Ｒ１、Ｔ、及びＭ１、並びに、ｐ、q、ｒ、及びｓについては、上述したとおりである。
【００４１】
本開示の希土類磁石は、磁粉であってもよいし、磁粉の焼結体であってもよい。焼結体に熱間強加工を施した塑性加工体であってもよい。
【００４２】
磁粉の製造方法としては、周知の方法を採用することができる。例えば、液体急冷法によって、ナノ結晶組織を有する、等方性の磁粉を得る方法が挙げられる。あるいは、ＨＤＤＲ（Ｈｙｄｒｏｇｅｎ  Ｄｉｓｐｒｏｐｏｒｔｉｏｎａｔｉｏｎ  Ｄｅｓｏｒｐｔｉｏｎ  Ｒｅｃｏｍｂｉｎａｔｉｏｎ）法によって、等方性若しくは異方性の磁粉を得る方法が挙げられる。
【００４３】
液体急冷法によって、ナノ結晶組織を有する磁粉を得る方法を概説する。希土類磁石２００の全体組成と同じ組成を有する合金を高周波溶解して、溶湯を準備する。例えば、５０ｋＰａ以下に減圧したＡｒガス雰囲気中で、溶湯を銅製単ロールに吐出して、急冷薄帯を作製する。この急冷薄帯を、例えば、１０μｍ以下に粉砕する。
【００４４】
銅製単ロールを用いるときの液体急冷の条件は、得られた薄帯が、ナノ結晶組織になるように適宜決定すればよい。
【００４５】
溶湯吐出温度は、典型的には、１３００℃以上、１３５０℃以上、又は１４００℃以上であってよく、１６００℃以下、１５５０℃以下、又は１５００℃以下であってよい。
【００４６】
単ロールの周速は、典型的には、２０ｍ／ｓ以上、２４ｍ／ｓ以上、又は２８ｍ／ｓ以上であってよく、４０ｍ／ｓ以下、３６ｍ／ｓ以下、又は３２ｍ／ｓ以下であってよい。
【００４７】
次に、焼結体を得る方法について概説する。粉砕によって得た磁粉を磁場配向させ、液相焼結を経て、異方性を有する焼結体を得る。あるいは、液体急冷法によって得た、等方性ナノ結晶組織を有する磁粉を焼結して、等方性を有する焼結体を得る。あるいは、等方性ナノ結晶組織を有する磁粉を焼結し、さらにその焼結体を強加工して、異方性を有する塑性加工体を得る。あるいは、ＨＤＤＲ法で得た、等方性若しくは異方性を有する磁粉を焼結して、等方性若しくは異方性を有する焼結体を得る。
【００４８】
等方性ナノ結晶組織を有する磁粉を焼結し、さらにその焼結体を強加工して、異方性を有する塑性加工体を得る場合、所望の塑性加工体が得られるように、各工程の条件を適宜決定すればよい。
【００４９】
焼結時の圧力は、２００ＭＰａ以上、３００ＭＰａ以上、又は３５０ＭＰａ以上であってよく、６００ＭＰａ以下、５００ＭＰａ以下、又は４５０ＭＰａ以下であってよい。
【００５０】
焼結温度は、５５０℃以上、６００℃以上、又は６３０℃以上であってよく、７５０℃以下、７００℃以下、又は６７０℃以下であってよい。
【００５１】
焼結時の加圧時間は、２秒以上、３秒以上、又は４秒以上であってよく、８秒以下、７秒以下、又は６秒以下であってよい。
【００５２】
焼結体の強加工時の温度は、６５０℃以上、７００℃以上、又は７２０℃以上であってよく、８５０℃以下、８００℃以下、又は７７０℃以下であってよい。
【００５３】
焼結体の強加工時の歪速度は、０．０１／ｓ以上、０．１／ｓ以上、１．０／ｓ以上、又は３．０／ｓ以上であってよく、１５．０／ｓ以下、１０．０／ｓ以下、又は５．０／ｓ以下であってよい。
【００５４】
焼結体の強加工の方法としては、据え込み加工、及び後方押出し加工等が挙げられる。
【実施例】
【００５５】
以下、本開示の希土類磁石を実施例により、さらに具体的に説明する。なお、本開示の希土類磁石は、以下の実施例で用いた条件に限定されるものではない。
【００５６】
（試料の作製）
表１に示す組成の合金を準備した。その合金の溶湯を、単ロール法で液体急冷して、薄帯を得た。液体急冷の条件としては、溶湯温度（吐出温度）が１４５０℃であり、ロール周速が３０ｍ／ｓであった。液体急冷は、アルゴンガス減圧雰囲気下で行われた。薄帯がナノ結晶を有していることを透過電子顕微鏡（ＴＥＭ）観察で確認した。
【００５７】
薄帯を粗粉砕して粉末とし、その粉末をダイスに装入し、加圧及び加熱して、焼結体を得た。加圧及び加熱条件としては、加圧力が４００ＭＰａであり、加熱温度が６５０℃であり、加圧及び加熱の保持時間が５秒であった。
【００５８】
焼結体を熱間据え込み加工（熱間強加工）して、希土類磁石２００（塑性加工体）を得た。熱間据え込み加工条件としては、加工温度が７５０℃であり、歪速度が０．１〜１０．０／ｓであった。薄帯が配向したナノ結晶組織を有していることを走査型電子顕微鏡（ＳＥＭ）で確認した。
【００５９】
（評価）
各試料について、保磁力と磁化を測定した。測定は、Ｌａｋｅ  Ｓｈｏｒｅ社製の振動試料型磁力計（ＶＳＭ：Ｖｉｂｒａｔｉｎｇ  Ｓａｍｐｌｅ  Ｍａｇｎｅｔｏｍｅｔｅｒ）を用い、常温で行った。
【００６０】
評価結果を、表１及び図２〜３に示す。図２は、各試料について、Ｃｅ含有量と保磁力の関係を示すグラフである。図３は、各試料について、磁性相の体積率と磁化の関係を示すグラフである。表１のＮｄの含有量（原子％）を示す欄で、「−」は測定限界以下であることを示す。なお、Ｎｄの測定限界は、０．０１原子％以下である。
【００６１】
【表１】
2018110159.tif 000003
【００６２】
表１及び図２〜３から分かるように、Ｃｅの含有量が１１．８０〜１２．９０原子％の範囲の希土類磁石は、０．４０ｋＯｅ以上の保磁力が得られていることを確認できた。また、磁性相の体積率が９２．３０〜９２．６０％の範囲の希土類磁石は、８０．００ｅｍｕ／ｇ以上の磁化が得られていることを確認できた。また、図３から、磁性相の体積率が９６．２％以下の領域では、磁性相の体積率の減少によって、磁化の低下は穏やかであると考えられる。そのため、磁性相の体積率が８５．００％以上であれば、８０．００ｅｍｕ／ｇ以上の磁化を確保できると考えられる。
【００６３】
以上の結果から、本発明の効果を確認できた。
【符号の説明】
【００６４】
５０    磁性相
６０    （Ｃｅ、Ｒ１）リッチ相
２００    希土類磁石
【図１】
2018110159.tif 000004
【図２】
2018110159.tif 000005
【図３】
2018110159.tif 000006